(57)【要約】【課題】  パスワードや金融カードの盗難等に対して安全が保証される暗証番号登録及び照合方法を提供する。【解決手段】文字記入物と映像とを登録・照合装置に送る。この登録・照合装置に文字記入物をコードデータに映像を暗証映像データとして入力し、コードデータと暗証映像データとから総合暗証番号を形成する。この総合暗証番号を複数のダミー映像データとともに格納し、会員希望者に識別番号を記録した会員カードを送る。会員が情報端末に自己の会員カードを使用して金銭の決済を請求する。情報端末はこの識別番号を伝達し、登録・照合装置はデータベースから識別番号と組となった暗証映像データと複数のダミー映像データとを読み出し情報端末に送る。情報端末では暗証映像データと複数のダミー映像データとを表示部に同時に表示し、これら複数の映像の中から特定の映像を選択させる。【選択図】  図１１
2006040235.tif 000002
【特許請求の範囲】
【請求項１】
会員希望者が氏名及びその属性を記入した文字記入物と会員希望者が指定した映像とを運営機関に送り、この運営機関では金銭の決済と情報の供給や施設への入場を可能とする登録・照合装置を備え、この登録・照合装置に前記文字記入物を文字パターンからコードに変換する入力装置によりコードデータとして又前記映像を光電変換装置から暗証映像データとして入力し、当該登録・照合装置では前記コードデータと暗証映像データとに識別番号を組み合わせて総合暗証番号を形成し、
この総合暗証番号を複数のダミー映像データとともにデータベースに格納し会員とし、同様な総合暗証番号を複数の会員希望者に関して独立に作成して格納し、その後運営機関から当該氏名の属性に従って、前記会員希望者に当該総合暗証番号中のコードデータと識別番号を記録した会員カードを送り会員とし
会員が前記登録・照合装置とは別体に設けられた情報端末に自己の会員カードを使用して金銭の決済と情報の供給や入場許可とを請求し、当該情報端末は通信路を介して前記登録・照合装置にこの会員カードのコードデータと識別番号を伝達し、前記登録・照合装置は前記データベースから当該識別番号と組となった前記暗証映像データと前記複数のダミー映像データとを読み出し前記情報端末送り、
当該情報端末では前記暗証映像データと前記複数のダミー映像データとを表示部に同時に表示し、前記会員がこれら複数の映像の中から特定の映像を選択し、選択された映像が前記暗証映像と一致した場合は、当該情報端末が前記金銭の決済と情報の供給に応じるように作動し、一致しない場合は、会員カードを排出することを特徴とする暗証登録及び照合方法。
【請求項２】
前記会員希望者が指定する映像の枚数は複数枚可能として、前記選択する映像枚数は複数毎可能としたことを特徴とする請求項１に記載の暗証登録及び照合方法。
【請求項３】
前記表示部に同時に表示される前記暗証映像と前記複数のダミー映像の合計枚数は任意に設定可能としたことを特徴とする請求項１に記載の暗証登録及び照合方法。
【請求項４】
会員希望者が氏名及びその属性を文字記入物から入力装置により文字パターンをコードに変換してコードデータにし、また会員希望者が指定した映像を光電変換装置により変換して暗証映像データとし、これらデータを情報端末からインターネット又は通信回路を介して運営機関に送り、この運営機関では金銭の決済と情報の供給を可能とする登録・照合装置を備え、この登録・照合装置では前記コードデータと暗証映像データとに識別番号を組み合わせて総合暗証番号を形成し、
この総合暗証番号を複数のダミー映像データとともにデータベースに格納し、同様な総合暗証番号を複数の会員希望者に関して独立に作成して格納し、その後運営機関から当該氏名の属性に従って、前記会員希望者に当該総合暗証番号中のコードデータと識別番号とをインターネットを介して送り会員とし、
会員が前記情報端末から金銭の決済と情報の供給とを請求するため、当該情報端末はこの会員カードのコードデータと識別番号とをインターネット又は通信回路を介して前記登録・照合装置に伝達し、前記登録・照合装置はデータベースから当該識別番号と組となった暗証映像データと前記複数のダミー映像データとを読み出しインターネット又は通信回路を介して前記情報端末に送り、
当該情報端末では前記暗証映像データと前記複数のダミー映像データとを表示部に同時に表示し、前記会員がこれら複数の映像の中から特定の映像を選択し、選択された映像データがインターネットを介して前記登録・照合装置に送られ、
前記登録・照合装置では前記暗証映像データと一致した場合は、前記登録・照合装置が前記金銭の決済と情報の供給に応じるように作動し、一致しない場合は、応じないことを特徴とする暗証登録及び照合方法。
【請求項５】
前記会員希望者が指定する映像の枚数は複数枚可能として、前記選択する映像枚数は複数毎可能としたことを特徴とする請求項４に記載の暗証登録及び照合方法。
【請求項６】
前記表示部に同時に表示される前記暗証映像と前記複数のダミー映像の合計枚数は任意に設定可能としたことを特徴とする請求項４に記載の暗証登録及び照合方法。
【請求項７】
会員希望者が氏名及びその属性と一定の文字列と記入した文字記入物を運営機関に送り、この運営機関では金銭の決済と情報の供給や施設への入場を可能とする登録・照合装置を備え、
前記文字記入物から文字パターンをコードに変換する入力装置により氏名及びその属性から属性コードデータを、前記一定の文字列から合言葉データを生成してこの登録・照合装置に入力し、当該登録・照合装置では前記コードデータと合言葉データとに識別番号を組み合わせて総合暗証番号を形成し、
この総合暗証番号を複数のダミーの言葉データとともにデータベースに格納し、同様な総合暗証番号を複数の会員希望者に関して独立に作成して格納し、その後運営機関から当該氏名の属性に従って、前記会員希望者に当該総合暗証番号中の属性コードデータと識別番号を記録した会員カードを送り会員とし
会員が前記登録・照合装置とは別体に設けられた情報端末に自己の会員カードを使用して金銭の決済と情報の供給や入場許可とを請求し、当該情報端末は前記登録・照合装置にこの会員カードのコードデータと識別番号を伝達し、前記登録・照合装置はデータベースから当該識別番号と組となった合言葉データと前記複数のダミーの言葉データタとを読み出し前記情報端末送り、
当該情報端末では前記合言葉と前記複数のダミーの言葉とを表示部に同時に表示し、前記会員がこれら複数の言葉の中から特定の言葉タを選択し、選択された言葉が前記合言葉と一致した場合は、当該情報端末が前記金銭の決済と情報の供給に応じるように作動し、一致しない場合は、会員カードを排出することを特徴とする暗証登録及び照合方法。
【発明の詳細な説明】
【技術分野】
【０００１】  この発明は、暗証番号登録及び照合方法に関し、特に個人を特定するための暗証映像と合言葉を電子情報処理装置に対する登録及び照合する方法に関する。
【背景技術】
【０００２】  個人を特定する暗証番号は金銭の授受銀行、信用金庫や重要施設への入場、テロ対策上の安全確認のために日常生活で重要な位置を占めている。
近年銀行の窓口で「あなたの暗証番号は大丈夫ですか？」と問う全国銀行協会発行のチラシが配られている。
「預金の引き出しの際に、暗証番号を後ろから盗み見られたり、他人に知られたりする恐れがあります。銀行員、銀行協会職員、警察官等を名乗って他人が、店舗外で、また電話等で、暗証番号を聞いてくることがあります。気を付けましょう」などのチラシも配られている。【０００３】  また、「暗証番号には生年月日、電話番号、住所の地番、自動車のナンバーを避けて、他人に推測されにくいものをお使い下さい」となっている。これらの暗証番号は運転免許証等で他人が容易に確認できるからである。
更に、チラシでは、推測され易い番号を使っている場合はすみやかに変更することを推奨している。
一方、最近ではキャッシュカードを複数銀行に渡り複数所有し、またクレジットカードも複数所有し、更に企業内での管理地域への入門安全カード、社員食堂の支払カードと１０枚前後の経済・生活カードを所有し、なお更にインターネット上で複数のＩＤ、パスワード（暗証番号）を所有することが普通となっている。【０００４】  従来ではこの文字・記号データのみを、管理側の情報処理装置に取り込んで、文字・記号データ自体を組み合わせた一連の文字列で暗証番号を構成していた。
多数の経済・生活カードを所有した個人にとっては、カード毎に暗証番号を覚えるのは大変であり、勢い２，３の暗証番号を共通に決めて使い分けていた、その暗証番号も直ぐ思い出せる生年月日、電話番号、住所の地番、自動車のナンバーなどに設定しがちとなる。
そして煩雑さのために、これらＩＤ、パスワード（暗証番号）を目的毎にノートに書とめて置くなどとセキュリティ上危険な状態である。【０００５】  最近では個人特定のために、人体特徴直接入力方式として、指紋、眼の虹彩、音声紋、顔の特徴等の照合がある。これらは確実・安全であるが、設備費用、受益者個人負担の割合が高価で、特別な安全機関以外では実用化が困難である。
ＩＤ、パスワード（暗証番号）の確認作業が一般の主婦にとっては大変面倒であった。また、これら暗証番号が銀行等相手側で勝手に設定されていると覚え難いので、つい紙に記入している。使用時はその都度記入したメモを見ているので、他人に見られる恐れがあった。【０００６】  このため全ての登録のＩＤ、パスワード（暗証番号）を共通にしたいという希望は強いものである。
【特許文献】  従来例の代表的発明には、  特開２００４−１１０６０５  キーを押す時間の個人差を利用する、  特開２００３−１９３７２３  個人特有指紋を利用する、  特開２００１−３５６８７１  入力タイミング（リズム）  特開２０００−３０５６５４  キーボードの入力特徴を利用する、  特開２００２−６８８４  音声を加味したものがあり、者写真、目の虹彩を利用する企業仕様では、高価になってしまい一般人には不向きであった。
【発明の開示】
【発明が解決しようとする課題】
【０００７】  解決しようとする問題点は、暗証番号に生年月日、電話番号、住所の地番、自動車のナンバーを使用すると、盗難に会うと解読されてしまい安全ではなかった。特別な乱数にすると、１個の番号ならいいが、多数のカード等に別々に設けると覚えるのが困難となり、メモにすると盗難に会うと全く無防備になる危険があった。
本発明では本人が頭能に記憶し熟知していて、他人には殆ど知られてない文字や映像を、利用することで、パスワードや金融カードの盗難・紛失・置き忘れ等に対してほぼ完全に安全が保証される暗証番号登録及び照合方法を提供することを目的とする。
【課題を解決するための手段】
【０００８】  この発明は、上記問題を解決するためになされたもので、第１の発明では、会員希望者が氏名及びその属性を記入した文字記入物と会員希望者が指定した映像とを運営機関に送り、この運営機関では金銭の決済と情報の供給や施設への入場を可能とする登録・照合装置を備え、この登録・照合装置に前記文字記入物を文字パターンからコードに変換する入力装置によりコードデータとして又前記映像を光電変換装置から暗証映像データとして入力し、当該登録・照合装置では前記コードデータと暗証映像データとに識別番号を組み合わせて総合暗証番号を形成し、この総合暗証番号を複数のダミー映像データとともにデータベースに格納し会員とし、同様な総合暗証番号を複数の会員希望者に関して独立に作成して格納し、その後運営機関から当該氏名の属性に従って、前記会員希望者に当該総合暗証番号中のコードデータと識別番号を記録した会員カードを送り会員とし、会員が前記登録・照合装置とは別体に設けられた情報端末に自己の会員カードを使用して金銭の決済と情報の供給や入場許可とを請求し、当該情報端末は通信路を介して前記登録・照合装置にこの会員カードのコードデータと識別番号を伝達し、前記登録・照合装置は前記データベースから当該識別番号と組となった前記暗証映像データと前記複数のダミー映像データとを読み出し前記情報端末送り、
当該情報端末では前記暗証映像データと前記複数のダミー映像データとを表示部に同時に表示し、前記会員がこれら複数の映像の中から特定の映像を選択し、選択された映像が前記暗証映像と一致した場合は、当該情報端末が前記金銭の決済と情報の供給や入場に応じるように作動し、一致しない場合は、会員カードを排出する。
第１の発明の請求項２では、前記会員希望者が指定する映像の枚数は複数枚可能として、前記選択する映像枚数は複数毎可能としたことを特徴とする。
第１の発明の請求項３では、前記表示部に同時に表示される前記暗証映像と前記複数のダミー映像の合計枚数は任意に設定可能としたことを特徴とする。【０００９】  第２の発明では、会員希望者が氏名及びその属性を文字記入物から入力装置により文字パターンをコードに変換してコードデータにし、また会員希望者が指定した映像を光電変換装置により変換して暗証映像データとし、これらデータを情報端末からインターネットを介して運営機関に送り、この運営機関では金銭の決済と情報の供給を可能とする登録・照合装置を備え、この登録・照合装置では前記コードデータと暗証映像データとに識別番号を組み合わせて総合暗証番号を形成し、この総合暗証番号を複数のダミー映像データとともにデータベースに格納し、同様な総合暗証番号を複数の会員希望者に関して独立に作成して格納し、その後運営機関から当該氏名の属性に従って、前記会員希望者に当該総合暗証番号中のコードデータと識別番号とをインターネットを介して送り会員とし、会員が前記情報端末から金銭の決済と情報の供給とを請求するため、当該情報端末はこの会員カードのコードデータと識別番号とをインターネットを介して前記登録・照合装置に伝達し、前記登録・照合装置はデータベースから当該識別番号と組となった暗証映像データと前記複数のダミー映像データとを読み出しインターネットを介して前記情報端末に送り、当該情報端末では前記暗証映像データと前記複数のダミー映像データとを表示部に同時に表示し、前記会員がこれら複数の映像の中から特定の映像を選択し、選択された映像データがインターネットを介して前記登録・照合装置に送られ、前記登録・照合装置では前記暗証映像データと一致した場合は、前記登録・照合装置が前記金銭の決済と情報の供給に応じるように作動し、一致しない場合は応じないようにする。
【発明の効果】
【００１０】  この発明の暗証番号登録及び照合方法は、老人や家庭の主婦にとっても、使い易く、盗難・紛失・置き忘れ等に対してほぼ完全で特別に番号管理が要らない、銀行や情報ネットサイト用の暗証番号として広く普及できる。本人以外では決して真似できない安全性が高い広義の暗証番号を提供できる。
【発明を実施するための最良の形態】
【００１１】  本発明では、個人が決して忘れない日常生活のなかから生まれた何らかの映像を写真や絵にしたものを、暗証映像として金融機関やインターネット上の情報提供サイトに登録した。個人の長い日常生活に根ざす記憶に関係する写真等は家族以外の他人では完全にしることができないので、唯一個人の頭脳中の記憶を電子化して、広義の暗証番号とする。
又個人が決して忘れない日常生活のなかから生まれた何らかの言葉を、合言葉にしたものを、暗証映像として登録する。個人の長い日常生活に根ざす記憶に関係する言葉等は家族以外の他人では完全にしることができないので、唯一個人の頭脳中の記憶を電子化し、広義の暗証番号とする。
【実施例１】
【００１２】  本発明の暗証番号登録及び照合方法について図を参照して説明する。本発明を実行する手入力による登録・照合装置について図を参照して詳しく説明する。
銀行などの金融機関の事務センターに設置される場合の登録・照合装置１は、映像入力部２と会員データベース３と演算部（ＣＰＵ）４と演算用記憶装置（ＲＡＭ）５と比較部６とキーボード７と表示装置８と登録プログラム９と読み書き部１０と乱数発生部１１と類似映像発生部２９とから構成される。演算部（ＣＰＵ）４は通信用からモデム１２を介して通信回線に接続されている。事務センターではキャッシュカード等の発行を行う施設が完備されているが説明は省略する。
映像入力部２は金融機関の職員により操作され、会員登録希望者が郵便物３９などで送ってくる写真や画像を電子化して取り込む装置である。【００１３】  図２に郵便物３９の内容例を示し、記入用紙２５と同封写真（映像物）２６とが送られてくる。記入用紙２５には会員データベース３に転記される支店名と氏名・住所・電話と申告合言葉と希望表示駒数と登録枚数が記入されている。
写真（映像物）２６を複数登録する場合は、区別欄第１、第２、第３などに貼り付けるようにし、区別欄第１、第２、第３には貼り付けた写真のジャンルをコード化された猫、山，果物を記入する。
写真（映像物）２６は例えばペットの三毛猫像であればジャンルは猫、希望表示駒数６は後述する選択時にダミー映像とともに表示される映像数である。登録枚数３は選択時に使用される暗証映像の数である。会員データベース３は大容量のハードディスクなどから構成される。【００１４】  モデム１２は外部の支店銀行やＡＴＭと通信を行い、問い合わせデータを受信し、逆に会員データベース３から必要なデータを通信回線に送り出す。
演算部（ＣＰＵ）４は、登録プログラム９に従いキーボード７から入力した名前・住所・電話に関連付けて、カード番号を付与するとともに、申告された合言葉Ａと映像入力部２からの暗証映像データＢとを組み合わせて  総合暗証番号Ｃを生成する。合言葉Ａは、文字列による従来の暗証番号に相当する。登録プログラム９は初期プログラムと変更プログラムと表示プログラムと枚数プログラムから構成される。【００１５】  乱数発生部１１は例えば４桁の乱数を発生し、この乱数は登録希望者にカードの固有番号（ＩＤ）として付与（割り当て）され、また表示装置８は、ＣＲＴや液晶の電子表示部である。この固有番号はキャッシュカード等に対し固有に発行され、後述するＡＴＭ等の挿入時に装置側で、受付可能かどうか初期の判定に使用され、カード所有者には読み取れないものである。
演算用記憶装置（ＲＡＭ）５はワークメモリであり、演算部２０の演算途中のデータが読み書きされる。
映像入力部２と会員データベース３のハードディスクと演算部４と演算用記憶装置（ＲＡＭ）５とキーボード７と表示装置８とモデム１２とは通常のパソコンや計算機の構成物と同じ機能と構造である。【００１６】  会員データベース３と比較部６と読み書き部１０とを図３に従って詳しく説明する。会員データベース３は支店名欄２３と数字暗証欄１９と氏名・住所・電話欄２０と合言葉欄２１と暗証映像欄２２及びダミーデータ部２７とから構成される。
支店名欄２３には当該金融機関や銀行の支店名が予め登録されており、数字暗証欄１９には固有番号（ＩＤ）の数字が、氏名・住所・電話欄２０には登録（会員）希望者の氏名等が加入時にそれぞれ登録される。
合言葉欄２１には登録（会員）希望者が申告した文字列の合言葉が、暗証映像欄２２には会員登録時に登録希望者が申告した１又は複数の暗証映像が、加入時にそれぞれ登録される。
数字暗証欄１９と氏名・住所・電話欄２０と合言葉欄２１と暗証映像欄２２とは正規データ部２８となる。【００１７】  ダミーデータ部２７には、実在しない架空会員の合言葉やジャンル毎の映像データと任意の映像データが予め格納されている。これらのダミー映像データは映像入力部２から光電変換により取り込んだもので、多いほどいいものである。
類似映像発生部２９は暗証映像欄２２に登録された暗証映像に類似した、ダミー映像を発生する。例えば暗証映像が三毛猫であれば、赤毛の猫、同じ三毛猫でも背伸びしている猫、ペルシャ猫等紛らわしい類似の映像を発生する。
これら類似のダミー映像は映像入力部２からのデータを数で補うものであり、ジャンル区分でダミーデータ部２７に格納される。例えば猫なら猫のジャンルに、暗証映像が山の風景なら山のジャンルに、暗証映像がカップラーメンならカップラーメンのジャンル等に区分される。【００１８】  登録希望者が申告する文字・数字には、本人は熟知しているが他人には殆ど知られていない文言、例えば同居していない田舎や実家の父母、叔父、叔母、姪、甥、兄弟、姉妹、親しい知人の名前とか、遠い祖先の言い伝えの名前、過去のペット、過去の自家用車名などを使用する。これらはパソコンのパスワードのような文字列の合言葉である。
登録希望者が申告する映像には、図２に示すように自分が好きな風景、ペットの猫・犬、趣味のボート、車、果物、置物等の写真であり、本人は熟知しているが他人には殆ど知られていない映像である。以後この文字列や映像が自分自身をＡＴＭ上で確認する際の合言葉や合図や鍵のようなものとなる。
暗証映像欄２２には本人が熟知している複数の映像を、第１、第２・・・等番号を付けて暗証映像として登録できる。
会員データベース３内の暗証番号と合言葉の文字・数字とはコード化された国際標準のデータ形式であり、文字等識別符号を有するとともに、一方暗証映像は所定の圧縮ソフトを含む映像データ形式であり、映像識別符号を有する。【００１９】  図３において、比較部６は分離部１５と文字比較器１６と映像比較器１７とＡＮＤ回路１８と順番混乱部２４とから、また読み書き部１０は正規読み出し部１３とダミー読み出し部１４とからそれぞれ構成される。
正規読み出し部１３は会員データベース３に接続され、演算部（ＣＰＵ）４に制御され番地振分機能を有し（アドレスデコーダ）受信した固有番号（ＩＤ）の番地に従って、会員データベース３を検索し、正規データ部２８の該当番地から各種データを読み出す。
この読み出しでは、後述の同一カード等からのアクセスに関し、最初は合言葉欄２１から合言葉の文字列を、２回目は暗証映像欄２２から第１映像、第２映像・・・等を順次読み出す。【００２０】  ダミー読み出し部１４は会員データベース３に接続され、演算部（ＣＰＵ）４に制御されて、乱数発生部１１により無秩序に選ばれた４桁番地に基づいて、ダミーデータ部２７から映像データのみを読み出す。この読み出し回数は、登録プログラム９の表示プログラムに従い演算部（ＣＰＵ）４が例えば９回などと指定する。
演算部（ＣＰＵ）４は暗証映像データに関する読み出し命令の場合は、ダミーデータ部２７の番地のみを対象に乱数発生部１１に９回（９個）乱数を発生させる。ダミー読み出し部１４はその乱数を番地としてダミー読み出し動作を繰り返し行う。
順番混乱部２４は、正規読み出し部１３とダミー読み出し部１４部とから読み出した映像データの順番を乱数的に組替える。従って登録希望者が申告した正規の暗証映像は読み出し時に、毎回互いに異なる９枚のダミー映像とともに順番が変更された状態となる。【００２１】  分離部１５は正規読み出し部１３に接続され、会員データベース３から読み出したデータ群を文字等識別符号及び映像等識別符号に従って、文言（正規の合言葉）データと暗証映像データとに分離する。
文字比較器１６では分離部１５からの文言データ（正規の合言葉）データと、ＡＴＭ等から届いて来る照合時に入力される文字・数字とが比較され、一致すればＯＫ信号を、不一致ならＮＧ信号を発生する。
映像比較器１７では分離部１５からの暗証映像データと、時間差をおいて、ＡＴＭ等から届いて来る照合時に選択された映像データとが比較され、一致すればＯＫ信号を、不一致ならＮＧ信号を発生する。【００２２】  ＡＮＤ回路１８は文字比較器１６からＯＫ信号を、同様に映像比較器１７からもＯＫ信号を同時に受けたときに限りＯＫ信号を演算部（ＣＰＵ）４に出力する。
図３における会員データベース３内の暗証映像欄２２の内容に一例を図４に詳しく示す。
即ち、暗証映像欄２２の太郎欄には、第１映像に猫：ジャンル猫を、第２映像に風景：ジャンル山を、第３映像にりんご：ジャンル果物の暗証映像が、二郎欄には、第１映像にラーメン：ジャンルラーメンを、第２映像に旧電話機：ジャンル電話を、第３映像に祖父像：ジャンル顔を、花子欄には、第１映像にヨット：ジャンルボートを、第２映像無し、第３映像も無し、一美欄には第１映像に靴：ジャンル履物を、第２映像に手紙：ジャンル郵便を、第３映像無しが、それぞれ登録されている。なお、登録が完了すると、郵便物３９で申し込んだ申込者にキャッシュカード等が送られる。
更に登録プログラム９の変更プログラムは、ＡＮＤ回路１８からＯＫ信号が出された後には、変更プログラムにより登録と同じ動作で登録済の合言葉や暗証映像の変更を可能とする。更に希望表示駒数と登録枚数も、年齢や性別や好みに応じて一旦登録した内容が変更できる。【００２３】  次に、本発明の暗証番号等を照合して個人を識別するＡＴＭや銀行端末の個人判定装置３０の構成について図５において説明する。
個人判定装置３０は金融機関の事務所とは別の所で、互いに異なる場所に多数設置されており、例えばＡＴＭであり、キャシュカードを使用して現金を引き出す装置である。図１の金融機関の登録・照合装置１と複数の個人判定装置３０とは通信回線で接続されている。
個人判定装置３０は判定情報処理部３１と表示部３２とタッチセンサー３３と判断部３４と駆動回路３５と動作装置３６と受け付けプログラム３８と通信モデム３７とを備えている。
判定情報処理部３１は通信モデム３７を介して通信回線からＯＫ信号を受けると駆動回路３５にＧＯ信号を出力する。【００２４】  タッチセンサー３３は表示部３２の上面に重ねて張り合わせてあり、図６において表示部３２には受け付けプログラム３８により自動起動されて、例えばテンキー４０と五十音文字キー４１と映像群４２が表示可能である。判断部３４は、一致信号に起因するＯＫや不一致信号に起因するＮＧを判断し、ＯＫ信号と判断するとＧＯ信号を出力する。
タッチセンサー３３内では均等な所定面積で番地付けされており、テンキー４０等のある「８」を押すと、数字「８」がコード化されるようになっている。タッチセンサー３３と表示されたキーの解読方法と構成については公知の技術を使用するので、説明を省略する。
駆動回路３５は、判断部３４が出したＧＯ信号を判定情報処理部３１から受けて、動作装置３６に駆動信号出力する。【００２５】  次に、本発明の暗証映像と合言葉を登録・照合装置１に登録する方法について説明する。
まず山田さんがある金融機関に口座を開くために暗証登録する場合を例に、演算部４の動作を中心にして図７の流れに沿って図１〜図６の構成を参照して詳しく説明する。
山田さんは金融機関から受けた申し込み用紙と封筒を利用して、希望する申告合言葉（従来の申告暗証番号相当）と自分の名前・住所、電話番号などを記入した記入用紙２５とともに、図２の映像物２６例えば三毛猫等の写真を郵便物３９として送る。
これら写真は、例えば山田家に居るペット猫が座っているものであり、自分に取って置きの写真、絵等を識別番号の第１、第２、第３を付けて複数送る。自分のペット猫が座っている写真なら忘れることはないし、しかし他人にとっては全く知ることはほぼ不可能である。これらの写真にはジャンル記号を付ける、ジャンル記号は常識に従って金融機関が予め準備し、山田さんの記入時に利用するように送った通知書に載せている。
又申告合言葉は、例えば２０年前に９０歳で亡くなった祖母の名前「ヨシコ」をとすると、この文字は他人にとっては全く知ることはほぼ不可能である。【００２６】  金融機関の事務所ではこの郵便物３９を受け取り、開封して以下の動作が開始される。登録・照合装置１はこの段階では、暗証登録装置となる。郵便物３９は秘密内容であり、山田さんの手元に写しが残り、大切に保管される。
ステップＳ１では、金融機関の職員が暗証登録装置１の前に座ると、登録プログラム９の初期プログラムが読み出され、表示部８に「会員希望者の申告合言葉と、名前・住所等を文字入力して下さい」の案内文を表示する。そこで職員はキーボード７を使用し、又は自動読み取り装置（ＯＣＲ）によりこれらの文字・数字をこの装置に入力する。申告合言葉となる祖母の名前「ヨシコ」と名前・住所等がコード化されて入力される。【００２７】  ステップＳ２では、「同封の写真を映像入力部２から暗証映像データとして入力して下さい」と表示する。そこで職員は映像入力部２を使用して写真２６を光電変換して映像データを作成し、この装置１に取り込む。写真２６は区別して複数入力してもよい。
表示プログラムに従い、後述のＡＴＭの表示部３２に同時に何枚の映像を表示するかを指定する。一般的に若い人は、安全のために同時に１５枚の映像を表示して、その中から自分の暗証映像を選択する。しかし高齢者は６枚程度の映像の中から自分の暗証映像を選択することを望む。このような各種要求に対応するプログラムである。
枚数プログラムに従い、表示映像中に自分の暗証映像を何枚含めるかをしていする。枚数が少なければ、操作は簡単になるが、盗み見されると安全が危ぶまれる、枚数が多くなると操作はやや複雑になるが、盗み見される恐れは極端になくなり、高度の安全性が保証される。【００２８】  これら同時表示枚数指定と暗証映像枚数指定とは登録時（郵便により）や変更登録時（ＡＴＭ等端末から）に会員が自由に申告できる。
ステップＳ３では演算部２０は乱数発生部１１に例えば４桁乱数を発生させ、この乱数を山田太郎さん固有の識別番号（ＩＤ番号）として付与する。
ステップＳ４では演算部２０は、名前・住所等の属性である申告合言葉の文字・数字データＡと、映像入力部２からの暗証映像データＢと、乱数発生部１１からのＩＤ番号とを組み合わせて山田太郎さん固有の総合暗証番号Ｃを生成する。固有の総合暗証番号Ｃは一組のデータ群である。【００２９】  ステップＳ５では演算部２０はこれらの総合暗証番号Ｃを会員データベース３に格納する。図３のようにＩＤ番号が暗証欄１９に、氏名等が氏名・住所・電話欄２０に、申告合言葉が合言葉欄２１に、三毛猫像が暗証映像欄２２に、それぞれ記録される。なお、暗証映像枚数指定のために、暗証映像欄２２内には複数の暗証映像データＢを区別して設定できる。
登録が済むと、金融機関ではキャシュカードを作成し、数日後山田太郎さんに書留郵便で送る。キャシュカードには名前・住所等と銀行名と支店名と欄ＩＤ番号のデータが書き込まれているが、合言葉の文字・数字データＡと、暗証映像データＢは記憶されていない。【００３０】  このステップＳ１からステップＳ５を他に、山田二郎、花子、一美と、更には木下氏、小川氏等と複数の個人について、行うことで多くの個人の総合暗証番号Ｃが会員データベース３に蓄積される。
説明では単にペット猫の写真入力したが、図４のように自分しか知らないりんごと皿、電話機と下敷き、更に田舎の両親の写真等自由に選ぶことができる。
会員データベース３には既にダミーデータ群がダミーデータ部２７に格納されており、これら総合暗証番号Ｃが日々正規データ部２８に追加される。【００３１】  次に、山田太郎さんがこのキャシュカードを使用して、最寄のＡＴＭや銀行端末から現金を引き出す動作を説明する。ここでは個人判定装置３０と遠隔地にある登録・照合装置１とが相互に協同して動作が行なわれ、登録・照合装置１は暗証照合装置として機能する。
まず一方の個人判定装置３０（ＡＴＭ）側の動作を判定用演算装置３１の動作を中心にして図８の流れに沿って図１から図５の構成を参照し、詳しく説明する。
山田さんが暗証判定装置３０の前に立つと、照合プログラム３８が読み出されて、表示部３２に「キャシュカードを挿入して下さい」と案内文が表示される。【００３２】  ステップＳ１０では、キャシュカードが挿入口に入れられると、判定用演算装置３１は銀行名と支店名と欄ＩＤ番号のデータを読み取り、ステップＳ１１では、正規のキャシュカードかどうか判定する。当該銀行の正規カードであれば、ステップＳ１２に進み、別の銀行または不正なものであればステップ１３に進み「使用不可」等を表示してキャシュカードを排出する。
ステップＳ１２では図１０ように、表示部３２（タッチセンサー３３）には「合言葉（従来の申告暗証番号）を入力して下さい」との案内文と、五十音キーボード４１が表示される。これに対してステップＳ１４では山田太郎さんが五十音キーボード４１から祖母の名前「ヨシコ」文字列を入力する。【００３３】  ステップＳ１５では文字列「ヨシコ」と銀行名と支店名とＩＤ番号「３５７９」のデータがモデム３７を介して通信回線を通り遠隔地にある登録・照合装置１、即ち暗証照合装置１に送られる。その後暗証照合装置１から回答が返送されてくる。
送った文字列「ヨシコ」が申告合言葉ではなかった場合は、ステップＳ１６で「ＮＧ」信号を受信し、ステップＳ１３に行き、表示部３２には「このカードでは使用出来ません」と表示する。
文字列「ヨシコ」が合言葉である場合は、最初の照合は合格とし、ステップＳ１７では遠隔地の暗証照合装置１から総合暗証番号とダミーデータの混合データを受信する。【００３４】  即ち、「ヨシコ」と銀行名と支店名と「３５７９」の文字データと共に、組になった９枚の写真の映像、山の風景、芝犬、おもちゃ、三毛猫、ペルシャ猫、自転車、眼鏡、人物像、金魚の映像データが返送されて来る。
ステップＳ１８では図１１のように、表示部３２に１０枚の山の風景、芝犬、三角図、三毛猫、ペルシャ猫、自転車、眼鏡、人物像、金魚の映像群４２と共に、「この中から貴方の好きな写真を選んで下さい」との案内文が表示される。
表示される映像の枚数は登録時に表示プログラムで、指定した枚数、１０枚、７枚、６枚などとなり、また暗証映像の枚数は枚数プログラムで指定した枚数、３枚、２枚，１枚などとなる。【００３５】  ステップＳ１９では、１０枚の写真映像の中から暗証映像の三毛猫映像を選択し、確認キーを押す。ステップＳ２０では、選択された三毛猫映像と文字列「ヨシコ」と銀行名と支店名とＩＤ番号「３５７９」のデータが再度遠隔地にある暗証照合装置１に送られる。
ステップＳ２１では暗証照合装置１から回答が返送されてくるが、「三毛猫」映像が暗証映像ではなかった場合は、ステップＳ２１では、「ＮＧ」信号を受信し、ステップＳ１３に行き、表示部３２には「このカードでは使用出来ません」と表示する。
「三毛猫」映像が暗証映像である場合は、ステップＳ２２では「ＯＫ」信号を受信し、ステップＳ２３に進み、制御回路３５を起動させて、動作装置３６に支払い動作などを指示する。例えば動作装置３６は紙幣等を排出し、続いてカードを排出する。【００３６】  次にＡＴＭ等上でキャシュカードが使用された際に、遠隔地の暗証照合装置となる登録・照合装置１の演算部（ＣＰＵ）４が行う動作を図９に従って説明する。
ＡＴＭ等の個人判定装置３０における図８のステップＳ１５から、文字列「ヨシコ」と銀行名と支店名とＩＤ番号「３５７９」のデータ群が通信回線を通りモデム１２を介して暗証照合装置１に入力される（ステップＳ３１）。
ステップＳ３２では文字比較器１６はＩＤ番号「３５７９」の番地からの合言葉「ヨシコ」と、ＲＡＭ５にある受信文字列「・・・」とを比較し、不一致の場合はステップＳ４３では「ＮＧ」信号を、一致していればステップＳ３３ではＯＫ信号をＡＮＤ回路１８に出力し、ステップＳ３４に進む。
この動作は、ＣＰＵ４がデータベース３を検索し、受信されたデータ群と一致する登録データを検索することと同意義である。即ちＩＤ番号「３５７９」の番地上で受信文字列「・・・」と一致する合言葉があるかどうか検索する。一致する合言葉が無ければ（受信文字列「・・・」が「ヨシコ」と相違）ステップＳ４３に行き、「ＮＧ」信号を遠隔地の個人判定装置３０に通信回線を通して送り出し終了する。図８のステップＳ１６への返答。【００３７】  ステップＳ３４では、データベース３の山田太郎さんの暗証映像欄２２から座っている「三毛猫」暗証映像を読み出し、演算用記憶装置（ＲＡＭ）５にまず一時記録する。
ステップＳ３５では乱数発生部１１はダミーデータ部の番地に関し乱数番地を発生し、ステップＳ３６ではこの番地に基づき、ダミー読み出し部１４がダミーデータ部２７から映像データのみを読み出す。この乱数番地の発生とデータ読み出しは、例えば９回行い９枚の映像データを取り出す。
ステップＳ３７ではＲＡＭ５にある「三毛猫」の暗証映像を読み出して、これら９枚のダミー映像とを順番混乱部２４により混入処理する。こうして任意の順番で個人判定装置３０の表示部３２に１画面に並べて表示できるようにする。【００３８】  ステップＳ３８では混入された「三毛猫」映像とこれら９枚のダミー映像とを遠隔地の個人判定装置３０に通信回線を通して送り出す。
これを受けて、図８の個人判定装置３０においてステップＳ２０で、山田さんが暗証映像を選択する。
その後選択された映像と、文字列「ヨシコ」と銀行名と支店名とＩＤ番号「３５７９」のデータ群が、再度暗証照合装置１に送られてくる。
ステップＳ３９では山田さんの回答、選択した映像「・・・」を受信し、ＲＡＭ５の下位領域に一時記録する。
ステップＳ４０では、映像比較器１７は、受信したＲＡＭ５の下位領域ある山田さんが選択した映像「・・・」と、ＩＤ番号「３５７９」の番地に基づいてデータベース３の山田太郎さんの暗証映像欄２２から読み出した暗証映像とを比較する。【００３９】  これらが不一致なら「ＮＧ」信号を発生しステップＳ４３に行き、遠隔地の個人判定装置３０に通信回線を通して送り出し終了する。
一致すればステップＳ４１に進み、「ＯＫ」信号を発生し、モデム１２を通して通信回線を介し図１の個人判定装置３０に送る。
即ち、ステップＳ４１ではＡＮＤ回路１８は文字比較器１６からＯＫ信号を、同様に映像比較器１７からもＯＫ信号を同時に受けたときに限りＯＫ信号を演算部（ＣＰＵ）４に出力する。
ステップＳ４２では、データベース３の山田太郎の欄に今回アクセス（個人判定装置３０の使用内容）を蓄積記録し終了する。
この時、個人判定装置３０のＡＴＭ側では、判定用演算装置３１が制御回路３５を起動させて、動作装置３６に支払い動作などを指示し、動作装置３６は紙幣等を排出し、続いてカードを排出している。重要施設への入門カードの場合は、扉のロックを解除する。【００４０】  なお、上記説明では合言葉「ヨシコ」を１文字づつ五十音文字キー４１から入力したが、暗証映像選択と同様、図１３のように、予め複数のダミー言葉を準備して、これらを合言葉「ヨシコ」と混入して表示し、それらの中から選択させるようにしてもよい。
また従来の誕生日などからできた暗証番号方式に、本発明の暗証映像選択方式を単独に追加してもいい。更に従来の誕生日などからできた暗証番号方式に、本発明の合言葉選択方式を単独追加してもいい。更にまた従来の誕生日などからできた暗証番号方式に、本発明の暗証映像選択方式と合言葉選択方式を同時に追加してもいい。
【実施例２】
【００４１】  本発明のインターネット又は電話や構内の通信回路利用による登録・照合装置について図１２を参照して詳しく説明する。
事務所や自宅のパソコン５０は画像取り込み用の電子カメラ５１を備え、インターネット通信路５２を介して登録・照合装置１に接続可能である。
又携帯電子機器例えば携帯電話５４は、画像取り込み用の電子カメラ５６を備え、無線回線とインターネット５２は電話や構内の通信回路を介して登録・照合装置１に接続可能である。
登録希望者はパソコン５０や携帯電話５４からインターネット５２は電話や構内の通信回路を介して登録・照合装置１にアクセスし、図２の郵便物３９の内容を登録・照合装置１に自ら登録する。
記入用紙（カード）２５のフォームをダウンロードし、銀行支店名と氏名・住所・電話と申告合言葉と希望表示駒数と登録枚数とを記入する。
次に登録する写真（映像物）２６を電子カメラ５１又は電子カメラ５６で撮影し、記入済フォームと暗証映像を登録・照合装置１に登録する。
暗証映像を複数登録する場合は、各写真映像に区別欄第１、第２、第３をそれぞれ付けて送信する。【００４２】  パソコン５０や携帯電話５４が登録時には図１の映像入力部２、キーボード７、郵便物３９となり、モデム１２がインターネット５２は電話や構内の通信回路となり、それら以外が会員データベースや演算部（ＣＰＵ）４等の装置である。更にパソコン５０や携帯電話５４が金銭決算請求や情報請求時には、図５のＡＴＭ端末３０となる。
図７と図８と図９の動作フローは、パソコン５０や携帯電話５４が金融機関の登録・照合装置１と交信して、金銭決算請求や情報請求時をする際の動作にも同様に適応する。なお、実施例２のインターネット５２は電話や構内の通信回路方式では、暗証映像を３枚以上選択させるように、表示プログラムで指定する。１枚だと、１０枚の映像を変更して選択すると必ず暗証映像に当たるので、２枚以上、３枚以上とすれば組み合わせを多くして秘密精度を上げることができる。
山田氏は、自分がいつでも思い出せる映を選択するだけで、暗証番号を満足できる、その際自己の「暗証映像」は自然体で思い出し、覚えるのに苦労したり、忘れないようにメモに書き留めたり、メモを人前で見直す必要もない。暗証番号の機密性が高度に保たれ、誰でも楽に暗証番号を保有できる。
【産業上の利用可能性】
【００４３】  現代人が、避けることができない複数のカードに対応できる暗証番号、参加するインターネットサイトのパスワードなどに、同一の暗証映像を利用しても安全性が確保できる。銀行カードでは使用者側にとっては、簡単のため、広く電子機器に不慣れな高齢者や主婦にも受け入れられる。廉価で簡単な方法として利用できる。重要施設では安全な入門カードとして利用できる。
【図面の簡単な説明】
【００４４】
【図１】  この発明の暗証番号登録及び照合方法が実施されるセンター側の情報処理装置の構成を示す図である。
【図２】  この発明に使用する情報処理装置に入力する郵便物の内容を示す図である。
【図３】  図１におけるの情報処理装置の主要部の構成を示す図である。
【図４】  図３におけるデータベース内の暗証映像の登録状態を示す図である。
【図５】  この発明の暗証番号登録及び照合方法が実施される利用者側の端末装置の構成を示す図である。
【図６】  図５における表示部の表示状態を説明する図である。
【図７】  この発明における暗証番号登録時のセンター側の情報処理装置の動作を説明するフロー図である。
【図８】  この発明の照合方法が実施される利用者側の端末装置の動作を説明するフロー図である。
【図９】  この発明の照合方法が実施されるセンター側の情報処理装置の動作を説明するフロー図である。
【図１０】  この発明における端末装置側の合言葉入力を案内する表示状態の図である。
【図１１】  この発明における端末装置側の暗証映像入力を案内する表示状態の図である。
【図１２】  この発明の暗証番号登録及び照合方法が実施される実施例２の全体構成を示す図である。
【図１３】  図５における表示部の合言葉の表示状態を説明する図である。
【符号の説明】
【００４５】  １  登録・照合装置
２  映像入力部
３  会員データベース
４  演算部（ＣＰＵ）
５  演算用記憶装置（ＲＡＭ）
６  比較部
７  キーボード
８  表示装置
９  登録プログラム
１０  読み書き部
１１  乱数発生部
１２、３７  通信モデム
１３  正規読み出し部
１４  ダミー読み出し部
１５  分離部
１６  文字比較器
１７  映像比較器
１８  ＡＮＤ回路
１９  暗証欄
２０  氏名・住所・電話欄
２１  合言葉欄
２２  暗証映像欄
２３  支店名欄
２４  順番混乱部
２５  記入用紙（カード）
２６  同封写真（映像物）
２７  ダミーデータ部
２８  正規データ部
２９  類似映像発生部
３０  個人判定装置
３１  判定情報処理部
３２  表示部
３３  タッチセンサー
３４  判断部
３５  駆動回路
３６  動作装置
３８  受け付けプログラム
３９  郵便物
４１  五十音文字キー
４２  映像群４２
５０  パソコン
５２  インターネット
５１、５６  電子カメラ
５４  携帯電話
Ａ  合言葉
Ｂ  暗証映像データ
Ｃ  総合映像暗証番号
【図１】
2006040235.tif 000003
【図２】
2006040235.tif 000004
【図３】
2006040235.tif 000005
【図４】
2006040235.tif 000006
【図５】
2006040235.tif 000007
【図６】
2006040235.tif 000008
【図７】
2006040235.tif 000009
【図１３】
2006040235.tif 000010
【図８】
2006040235.tif 000011
【図９】
2006040235.tif 000012
【図１０】
2006040235.tif 000013
【図１１】
2006040235.tif 000014
【図１２】
2006040235.tif 000015